(57)【要約】【課題】製品を個別生産するために必要な情報を迅速かつ効率的に利用して生産計画を生成する。【解決手段】生産計画生成装置２００は、通信部２４０、記憶部２２０、マスタ情報抽出部２１１、生産日程計画情報生成部２１２、生産コスト計画情報生成部２１４、出力部２６０を備える。記憶部２２０は、マスタ情報と特定条件情報とを記憶する。マスタ情報抽出部２１１は、設計仕様情報と特定条件情報とに基づいて、通信部２４０が取得した設計仕様情報に対応するマスタ情報を特定して記憶部２２０から抽出する。生産日程計画情報生成部２１２は、生産工程に関するマスタ情報に基づいて、生産日程を示す生産日程計画情報を生成し、生産コスト計画情報生成部２１４は、生産日程計画情報と生産コストに関するマスタ情報とに基づいて、生産コストの発生時期を示す生産コスト計画情報を生成し、出力部２６０が生産日程計画情報および生産コスト計画情報を出力する。【選択図】図４
2018197895.tif 000002
【特許請求の範囲】
【請求項１】
生産対象の製品の設計仕様を示す設計仕様情報を取得する取得手段と、
生産対象となり得る各製品の設計仕様ごとの生産工程および生産コストに関する複数種のマスタ情報と、前記設計仕様情報に対応するマスタ情報を特定するための条件が定義された特定条件情報とを記憶する記憶手段と、
前記設計仕様情報と前記特定条件情報とに基づいて、前記設計仕様情報に対応するマスタ情報を特定し、特定したマスタ情報を前記記憶手段から抽出するマスタ情報抽出手段と、
前記マスタ情報抽出手段が抽出した前記生産工程に関するマスタ情報に基づいて、前記生産対象の製品の生産日程を示す生産日程計画情報を生成する生産日程計画情報生成手段と、
前記生産日程計画情報と前記マスタ情報抽出手段が抽出した前記生産コストに関するマスタ情報とに基づいて、前記生産対象の製品の生産に要するコストの発生時期を示す生産コスト計画情報を生成する生産コスト計画情報生成手段と、
前記生産日程計画情報および前記生産コスト計画情報を出力する出力手段と、を備える、
生産計画生成装置。
【請求項２】
前記条件は、前記設計仕様情報に含まれる設計仕様項目の各データを評価する複数の条件式を論理積または論理和のうち少なくとも一方で結合して定義された組合せ条件である、
請求項１に記載の生産計画生成装置。
【請求項３】
前記生産日程計画情報および前記生産コスト計画情報の再生成が必要か否かを判定する計画変更判定手段、を更に備え、
前記取得手段は、前記生産対象の製品の設計仕様の変更を示す設計仕様変更情報を取得し、
前記マスタ情報抽出手段は、前記設計仕様変更情報と前記特定条件情報とに基づいて、前記設計仕様変更情報に対応するマスタ情報を特定し、
前記計画変更判定手段は、前記設計仕様情報に対応するマスタ情報と前記設計仕様変更情報に対応するマスタ情報との比較に基づいて、前記再生成が必要か否かを判定し、
前記計画変更判定手段が前記再生成が必要であると判定した場合、前記生産日程計画情報生成手段および前記生産コスト計画情報生成手段は、前記マスタ情報抽出手段によって新たに抽出された前記設計仕様変更情報に対応するマスタ情報に基づいて、前記生産日程計画情報および前記生産コスト計画情報を生成する、
請求項１または２に記載の生産計画生成装置。
【請求項４】
前記計画変更判定手段は、前記再生成が必要か否かの判定結果に応じて、前記設計仕様の変更に伴う前記生産日程計画情報および前記生産コスト計画情報の再生成の有無を報知する、
請求項３に記載の生産計画生成装置。
【請求項５】
生産対象の製品の設計仕様を示す設計仕様情報を取得する取得ステップと、
前記設計仕様情報と、前記設計仕様情報に対応するマスタ情報を特定するための条件が定義された特定条件情報とに基づいて、生産対象となり得る各製品の設計仕様ごとの生産工程および生産コストに関する複数種のマスタ情報を記憶する記憶手段から前記設計仕様情報に対応するマスタ情報を抽出するマスタ情報抽出ステップと、
前記マスタ情報抽出ステップで抽出された生産工程に関するマスタ情報に基づいて、前記生産対象の製品の生産日程を示す生産日程計画情報を生成する生産日程計画情報生成ステップと、
前記生産日程計画情報と前記マスタ情報抽出ステップで抽出された生産コストに関するマスタ情報とに基づいて、前記生産対象の製品の生産に要するコストの発生時期を示す生産コスト計画情報を生成する生産コスト計画情報生成ステップと、
前記生産日程計画情報および前記生産コスト計画情報を出力する出力ステップと、を備える、
生産計画生成方法。
【請求項６】
コンピュータに、
生産対象の製品の設計仕様を示す設計仕様情報を取得する取得処理と、
前記設計仕様情報と、前記設計仕様情報に対応するマスタ情報を特定するための条件が定義された特定条件情報とに基づいて、生産対象となり得る各製品の設計仕様ごとの生産工程および生産コストに関する複数種のマスタ情報を記憶する記憶手段から前記設計仕様情報に対応するマスタ情報を抽出するマスタ情報抽出処理と、
前記マスタ情報抽出処理で抽出された生産工程に関するマスタ情報に基づいて、前記生産対象の製品の生産日程を示す生産日程計画情報を生成する生産日程計画情報生成処理と、
前記生産日程計画情報と前記マスタ情報抽出処理で抽出された生産コストに関するマスタ情報とに基づいて、前記生産対象の製品の生産に要するコストの発生時期を示す生産コスト計画情報を生成する生産コスト計画情報生成処理と、
前記生産日程計画情報および前記生産コスト計画情報を出力する出力処理と、
を実行させるためのプログラム。
【発明の詳細な説明】
【技術分野】
【０００１】
本発明は、生産計画生成装置、生産計画生成方法及びプログラムに関する。
【背景技術】
【０００２】
事業活動の多角化・グローバル化に伴う競争が激化する中で継続的な発展を遂げるため、企業におけるデータ管理はますます重要になっている。製造業においては、製品の生産に必要な情報を一元的に管理し、これらの情報を迅速かつ効率的に生産計画の生成に利用する手法が求められている。特許文献１は、マスタ情報をデータベース化して管理し、生産対象の製品に対応するマスタ情報を用いて処理工程を管理する技術を開示している。
【先行技術文献】
【特許文献】
【０００３】
【特許文献１】特開２００４−１７８５１４号公報
【発明の概要】
【発明が解決しようとする課題】
【０００４】
製品を機種ごとに大量生産する場合には、工程種別をはじめとする少数の項目に関連付けたマスタ情報を管理すれば足りるが、顧客の需要に応じて製品を個別生産する場合には、各々の設計仕様に応じた大量のマスタ情報を設定および管理する必要があり、特許文献１が開示する技術では、マスタ情報を迅速かつ効率的に生産計画の生成に利用することが困難である。
【０００５】
本発明は、上述のような事情に鑑みてなされたものであり、製品を個別生産するために必要な情報を迅速かつ効率的に利用して生産計画を生成することを目的とする。
【課題を解決するための手段】
【０００６】
上記の目的を達成するため、本発明に係る生産計画生成装置は、取得手段、記憶手段、マスタ情報抽出手段、生産日程計画情報生成手段、生産コスト計画情報生成手段、出力手段を備える。取得手段は、生産対象の製品の設計仕様を示す設計仕様情報を取得する。記憶手段は、生産対象となり得る各製品の設計仕様ごとの生産工程および生産コストに関する複数種のマスタ情報と、設計仕様情報に対応するマスタ情報を特定するための条件が定義された特定条件情報とを記憶する。マスタ情報抽出手段は、設計仕様情報と特定条件情報とに基づいて、設計仕様情報に対応するマスタ情報を特定し、特定したマスタ情報を記憶手段から抽出する。生産日程計画情報生成手段は、マスタ情報抽出手段が抽出した生産工程に関するマスタ情報に基づいて、生産対象の製品の生産日程を示す生産日程計画情報を生成する。生産コスト計画情報生成手段は、生産日程計画情報とマスタ情報抽出手段が抽出した生産コストに関するマスタ情報とに基づいて、生産対象の製品の生産に要するコストの発生時期を示す生産コスト計画情報を生成する。出力手段は、生産日程計画情報および生産コスト計画情報を出力する。
【発明の効果】
【０００７】
本発明に係る生産計画生成装置は、設計仕様情報と特定条件情報とに基づいて、生産対象となり得る各製品の設計仕様ごとに予め設定された複数種のマスタ情報から設計仕様情報に対応するマスタ情報を特定および抽出し、抽出したマスタ情報のうち、生産工程に関するマスタ情報に基づいて生産日程計画情報と生成し、生産コストに関するマスタ情報に基づいて生産コスト計画情報を生成して利用者に提示する。このため、本発明によれば、製品を個別生産するために必要な情報を迅速かつ効率的に利用して生産計画を生成することができる。
【図面の簡単な説明】
【０００８】
【図１】本発明の実施の形態に係る生産計画支援システムの構成を示す図
【図２】設計仕様生成装置の構成を示すブロック図
【図３】設計仕様テーブルの一例を示す図
【図４】生産計画生成装置の構成を示すブロック図
【図５Ａ】工程経路マスタ情報用の特定条件テーブルの一例を示す図
【図５Ｂ】生産リソースマスタ情報用の特定条件テーブルの一例を示す図
【図５Ｃ】標準工期マスタ情報用の特定条件テーブルの一例を示す図
【図５Ｄ】作業手順マスタ情報用の特定条件テーブルの一例を示す図
【図５Ｅ】標準作業時間マスタ情報用の特定条件テーブルの一例を示す図
【図６】工程経路テーブルの一例を示す図
【図７】生産リソーステーブルの一例を示す図
【図８】標準工期テーブルの一例を示す図
【図９】作業手順テーブルの一例を示す図
【図１０】標準作業時間テーブルの一例を示す図
【図１１】内外製区分テーブルの一例を示す図
【図１２】作業費レートテーブルの一例を示す図
【図１３】購買コストテーブルの一例を示す図
【図１４】マスタ情報抽出処理の流れを示すフローチャート
【図１５】生産日程計画情報生成処理の流れを示すフローチャート
【図１６】作業コスト情報生成処理の流れを示すフローチャート
【図１７】生産コスト計画情報生成処理の流れを示すフローチャート
【図１８】設計仕様変更評価処理の流れを示すフローチャート
【発明を実施するための形態】
【０００９】
以下、本発明の実施の形態に係る生産計画支援システムについて、図面を参照しながら説明する。
【００１０】
図１に示すように、本発明の実施の形態に係る生産計画支援システム１は、設計仕様生成装置１００と生産計画生成装置２００とを含み、個別生産案件ごとに製品の生産計画情報を生成して提示するシステムである。設計仕様生成装置１００と生産計画生成装置２００とは、有線および無線の通信回線を適宜組み合わせて構築される通信ネットワークＮＷを介して相互に通信可能に接続されている。例えば、設計仕様生成装置１００は設計部署に設置され、生産計画生成装置２００は生産計画の策定業務を行う生産計画担当部署に配置される。なお、図１には、設計仕様生成装置１００と生産計画生成装置２００が１つずつ示されているが、企業が保有する設計部署および生産計画担当部署の数に応じて、任意の数の設計仕様生成装置１００および生産計画生成装置２００が本実施の形態に適用可能である。
【００１１】
設計仕様生成装置１００は、設計者の入力データに基づいて設計仕様情報を生成して生産計画生成装置２００に供給する。ここで、設計仕様情報とは、個別生産される製品毎にその設計仕様が定められた情報である。設計仕様情報の具体的な内容については後述する。
【００１２】
生産計画生成装置２００は、設計仕様生成装置１００から取得した設計仕様情報に基づいて、生産対象の製品の生産日程計画情報、作業コスト情報、および生産コスト計画情報を含む生産計画情報を生成して利用者に提示する。生産計画情報の具体的な内容については後述する。
【００１３】
次に、生産計画支援システム１に含まれる設計仕様生成装置１００、生産計画生成装置２００の各構成について説明する。
【００１４】
設計仕様生成装置１００は、図２に示すように、制御部１１０、記憶部１２０、通信部１４０、入力部１５０、出力部１６０を備える。これらの各部位は、バスラインＢＬを介して相互に電気的に接続されている。
【００１５】
制御部１１０は、ＣＰＵ（Central Processing Unit）、ＲＡＭ（Random Access Memory）、ＲＯＭ（Read Only Memory）等を有するコンピュータを備える。制御部１１０は、ＲＯＭに記憶された各種の動作プログラムを読み出してＲＡＭ上で実行することにより、設計仕様生成装置１００の各構成部位を制御する。
【００１６】
制御部１１０は、機能的には、設計仕様情報生成部１１１、設計仕様情報送信制御部１１２を有する。
【００１７】
設計仕様情報生成部１１１は、設計仕様生成装置１００の典型的な利用者である設計者の入力データに基づいて、生産対象の製品の設計仕様を示す設計仕様情報を生成する。また、一旦、設計仕様情報を生成した後、設計仕様の変更が生じた際には、設計仕様変更情報を生成する。設計仕様情報生成部１１１は、生成した設計仕様情報および設計仕様変更情報を後述する記憶部１２０に記憶させる。
【００１８】
設計仕様情報送信制御部１１２は、通信部１４０を制御して、設計仕様情報生成部１１１によって生成された設計仕様情報および設計仕様変更情報を生産計画生成装置２００に送信する。
【００１９】
なお、設計仕様情報生成部１１１、設計仕様情報送信制御部１１２は、１つのコンピュータにより実現されてもよいし、それぞれが別個のコンピュータにより実現されてもよい。
【００２０】
ここで、設計仕様情報の具体的な内容について説明する。設計仕様情報は、図３に示す設計仕様テーブル１１１Ａの各項目のデータを含む。設計仕様テーブル１１１Ａは、「受注ＩＤ」、「製品ＩＤ」、「設計仕様Ａ」、「設計仕様Ｂ」、「設計仕様Ｃ」、「設計仕様Ｄ」の各項目のデータが対応付けられている。なお、設計仕様テーブル１１１Ａ内の項目は、これらの項目に限られず、例えば、設計仕様Ａ〜Ｄ以外の設計仕様項目を含んでもよい。また、設計仕様変更情報は、設計仕様変更に伴って設計仕様情報に含まれる各項目のデータが更新されたものである。
【００２１】
「受注ＩＤ」は、受注案件を識別するための識別情報である。設計仕様テーブル１１１Ａにおいて、各受注案件には、受注ＩＤとして、例えば「ＡＡ００１」、「ＢＢ００１」、「ＣＣ００１」等が割り当てられている。
【００２２】
「製品ＩＤ」は、生産対象の製品を識別するための識別情報である。設計仕様テーブル１１１Ａにおいて、生産対象の各製品には、製品ＩＤとして、例えば「ＸＸＸ」、「ＹＹＹ」、「ＺＺＺ」等が割り当てられている。
【００２３】
「設計仕様Ａ」、「設計仕様Ｂ」、「設計仕様Ｃ」、「設計仕様Ｄ」は、生産対象の製品の設計仕様内容を示す設計仕様項目である。設計仕様項目として、例えば、形成材料、オプションパーツの有無、構成部材の寸法、加工面の精度等が挙げられ、これらの各設計仕様項目が、適宜「設計仕様Ａ」〜「設計仕様Ｄ」に設定される。設計仕様テーブル１１１Ａにおいて、「設計仕様Ａ」および「設計仕様Ｂ」には「Ｍ０１」、「Ｍ０３」や「Ｙ」、「Ｎ」等の分類型データ、「設計仕様Ｂ」および「設計仕様Ｃ」には「５５０」，「３２０」や「±０．１」等の数値型データが、それぞれ格納されている。
【００２４】
図２に戻り、記憶部１２０は、記憶内容が書き換え可能な不揮発性の半導体メモリ、ハードディスクドライブ等を備える。記憶部１２０は、例えば、演算データ、送受信データ等の各種データを記憶する。
【００２５】
通信部１４０は、通信ネットワークＮＷに接続して外部機器とデータ通信するための通信インタフェースである。通信部１４０は、例えば、設計仕様情報送信制御部１１２の制御に従って、生産計画生成装置２００に設計仕様情報または設計仕様変更情報を送信する。
【００２６】
入力部１５０は、キーボード、マウス、タッチパネル、操作ボタン等を備え、利用者の操作、設計仕様情報または設計仕様変更情報に関連するデータ入力等を受け付ける。
【００２７】
出力部１６０は、ＬＣＤ（Liquid Crystal Display）、ＰＤＰ（Plasma Display Panel）、有機ＥＬ（Electro-Luminescence）ディスプレイ等の表示装置、プリンタ、スピーカ等を備え、例えば、設計仕様情報の内容を出力する。
【００２８】
生産計画生成装置２００は、図４に示すように、制御部２１０、記憶部２２０、通信部２４０、入力部２５０、出力部２６０を備える。これらの各部位は、バスラインＢＬを介して相互に電気的に接続されている。
【００２９】
制御部２１０は、ＣＰＵ、ＲＡＭ、ＲＯＭ等を有するコンピュータを備える。制御部２１０は、ＲＯＭに記憶された各種の動作プログラムを読み出してＲＡＭ上で実行することにより、生産計画生成装置２００の各構成部位を制御する。
【００３０】
制御部２１０は、機能的には、マスタ情報抽出部２１１、生産日程計画情報生成部２１２、作業コスト情報生成部２１３、生産コスト計画情報生成部２１４、設計仕様変更評価部２１５を有する。
【００３１】
マスタ情報抽出部２１１は、設計仕様生成装置１００から取得した設計仕様情報に対応するマスタ情報を記憶部２２０から抽出する。より詳細には、マスタ情報抽出部２１１は、特定条件情報ＤＢ２２１に格納された、生産関連項目ごとに設けられた特定条件テーブルを参照して、設計仕様情報に含まれる設計仕様項目の各データが適合する組合せ条件を生産関連項目ごとに特定し、特定した各組合せ条件に対応付けられたマスタ情報を記憶部２２０の各マスタＤＢから抽出する。ここで、生産関連項目とは、工程経路、生産リソース、標準工期、作業手順、標準作業時間のように、製品を生産するにあたり設定が必要な基本的な項目である。
【００３２】
生産日程計画情報生成部２１２は、設計仕様情報または設計仕様変更情報に対応する生産日程計画情報を生成する。ここで、生産日程計画情報とは、設計仕様情報または設計仕様変更情報が示す各種設計仕様に応じた製品の生産スケジュールを示す情報である。
【００３３】
作業コスト情報生成部２１３は、設計仕様情報または設計仕様変更情報に対応する作業コスト情報を生成する。ここで、作業コスト情報とは、各作業に要する作業コストを示す情報である。
【００３４】
生産コスト計画情報生成部２１４は、設計仕様情報または設計仕様変更情報に対応する生産コスト計画情報を生成する。ここで、生産コスト計画情報とは、生産日程計画、作業コスト、購買コストを勘案した生産コストの発生スケジュールを示す情報である。
【００３５】
設計仕様変更評価部２１５は、設計仕様の変更に伴って生産計画情報の再生成が必要であるか否かを評価する。また、生産計画情報の再生成が必要である場合には、設計仕様変更情報に対応するマスタ情報の抽出をマスタ情報抽出部２１１に指示し、生産計画情報の再生成を実行させる。このように、設計仕様変更評価部２１５は、生産日程計画情報および生産コスト計画情報を含む生産計画情報の再生成が必要か否かを判定する計画変更判定手段として機能する。
【００３６】
なお、マスタ情報抽出部２１１、生産日程計画情報生成部２１２、作業コスト情報生成部２１３、生産コスト計画情報生成部２１４、設計仕様変更評価部２１５は、１つのコンピュータにより実現されてもよいし、それぞれが別個のコンピュータにより実現されてもよい。
【００３７】
記憶部２２０は、記憶内容が書き換え可能な不揮発性の半導体メモリ、ハードディスクドライブ等を備える。記憶部２２０は、例えば、演算データ、送受信データ等の各種データを記憶する。
【００３８】
また、記憶部２２０は、設計仕様情報に対応するマスタ情報を特定するための条件が定義された特定条件情報を格納する特定条件情報データベース２２１を有する。ここで、特定条件情報データベース２２１は、特定条件情報を記憶する記憶手段の一例である。なお、図４では「データベース」を「ＤＢ」（Data Base）と表記しており、本明細書においても「データベース」を「ＤＢ」と記すことがある。
【００３９】
また、記憶部２２０は、設計仕様情報に含まれる設計仕様項目の各データと直接的に関連する複数種のマスタ情報の各々を格納する工程経路マスタＤＢ２２２、生産リソースマスタＤＢ２２３、標準工期マスタＤＢ２２４、作業手順マスタＤＢ２２５、標準作業時間マスタＤＢ２２６と、設計仕様情報に含まれる設計仕様項目の各データとは直接的に関連しない複数種のマスタ情報の各々を格納する内外製区分マスタＤＢ２２７、作業費レートマスタＤＢ２２８、購買コストマスタＤＢ２２９を有する。これらの各データベースは、生産対象となり得る各製品の設計仕様ごとの生産工程および生産コストに関する複数種のマスタ情報を記憶する記憶手段の一例である。
【００４０】
さらに、記憶部２２０は、設計仕様生成装置１００から取得した設計仕様情報および設計仕様変更情報を格納する設計仕様情報ＤＢ２３０、生産日程計画情報生成部２１２が生成した生産日程計画情報を格納する生産日程計画情報ＤＢ２３１、作業コスト情報生成部２１３が生成した作業コスト情報を格納する作業コスト情報ＤＢ２３２、生産コスト計画情報生成部２１４が生成した生産コスト計画情報を格納する生産コスト計画情報ＤＢ２３３を有する。
【００４１】
特定条件情報ＤＢ２２１は、生産関連項目ごとに、設計仕様情報に含まれる設定仕様項目の各データを評価する複数の条件式を論理積「ＡＮＤ」、論理和「ＯＲ」のいずれか、または、両方で結合した組合せ条件が特定条件として規定された図５Ａ〜図５Ｅに示す特定条件テーブルを有する。特定条件は、設計仕様情報が示す各種設計仕様に応じた製品を生産するために適用する各マスタ情報を特定し、各データベースから抽出するためのものであり、各特定条件には、抽出すべきマスタ情報を識別するための抽出コードが付与されている。
【００４２】
図５Ａに示す特定条件テーブル２２１Ａは、工程経路マスタＤＢ２２２から設計仕様情報に対応するマスタ情報を特定するための条件を規定したテーブルである。特定条件テーブル２２１Ａにおいて、例えば、条件式「設計仕様Ａ＝"Ｍ０１"」と条件式「設計仕様Ｂ＝"Ｙ"」とが論理積「ＡＮＤ」で結合された特定条件が規定されており、この特定条件には、抽出コードとして工程経路コード「Ｐ００１」が付与されている。例えば、設計仕様情報の設計仕様Ａおよび設計仕様Ｂの各データがこの特定条件を満たす場合、工程経路マスタＤＢ２２２から工程経路コード「Ｐ００１」に対応付けられたデータがマスタ情報として抽出される。
【００４３】
図５Ｂに示す特定条件テーブル２２１Ｂは、生産リソースマスタＤＢ２２３から設計仕様情報に対応するマスタ情報を特定するための条件を規定したテーブルである。特定条件テーブル２２１Ｂにおいて、各特定条件には、抽出コードとして生産リソースコードが付与されている。
【００４４】
図５Ｃに示す特定条件テーブル２２１Ｃは、標準工期マスタＤＢ２２４から設計仕様情報に対応するマスタ情報を特定するための条件を規定したテーブルである。特定条件テーブル２２１Ｃにおいて、各特定条件には、抽出コードとして標準工期コードが付与されている。
【００４５】
図５Ｄに示す特定条件テーブル２２１Ｄは、作業手順マスタＤＢ２２５から設計仕様情報に対応するマスタ情報を特定するための条件を規定したテーブルである。特定条件テーブル２２１Ｄにおいて、各特定条件には、抽出コードとして作業手順コードが付与されている。
【００４６】
図５Ｅに示す特定条件テーブル２２１Ｅは、標準作業時間マスタＤＢ２２６から設計仕様情報に対応するマスタ情報を特定するための条件を規定したテーブルである。特定条件テーブル２２１Ｅにおいて、各特定条件には、抽出コードとして標準作業時間コードが付与されている。
【００４７】
また、記憶部２２０は、生産関連項目ごとにマスタ情報を格納する、工程経路マスタＤＢ２２２、生産リソースマスタＤＢ２２３、標準工期マスタＤＢ２２４、作業手順マスタＤＢ２２５、標準作業時間マスタＤＢ２２６を有する。
【００４８】
工程経路マスタＤＢ２２２は、単一または複数の工程を経て生産される製品の工程経路を示す工程経路マスタ情報を記憶する。工程経路マスタＤＢ２２２は、製品ごとに選択し得る工程経路が規定された、図６に示す工程経路テーブル２２２Ａを有する。工程経路テーブル２２２Ａは、「製品ＩＤ」、「第１工程」〜「第４工程」、「工程経路コード」の各項目のデータが対応付けられている。図６に示す工程経路テーブル２２２Ａにおいて、例えば、製品ＩＤ「ＸＸＸ」の工程経路として、第１工程〜第４工程に順に「工程Ａ」、「工程Ｄ」、「工程Ｅ」、「工程Ｇ」が規定され、これらのデータには設計仕様情報に対応するマスタ情報を抽出するための抽出コードとして工程経路コード「Ｐ００１」が付与されている。
【００４９】
生産リソースマスタＤＢ２２３は、各工程において使用される設備および人員からなる生産リソースの処理能力を示す生産リソースマスタ情報を記憶する。生産リソースマスタＤＢ２２３は、工程ごとに使用し得る生産リソースの処理能力が規定された、図７に示す生産リソーステーブル２２３Ａを有する。生産リソーステーブル２２３Ａは、「工程」、「処理能力係数」、「生産リソースコード」の各項目のデータが対応付けられている。
【００５０】
「処理能力係数」は、各工程における基準となるリソースの処理能力を「１．０」としたときの相対的な比率を示している。図７に示す生産リソーステーブル２２３Ａにおいて、各工程において最初に列挙されたリソースの処理能力を１．０としている。例えば、工程Ａにおける生産リソース「リソースＢ」の処理能力係数には「１．２」が設定され、これらの情報には生産リソースコード「Ｒ００２」が付与されている。これは、工程Ａを実施する際、リソースＢを使用した方がリソースＡを使用するよりも生産効率が高いことを示している。
【００５１】
標準工期マスタＤＢ２２４は、各工程の開始から終了までに要する時間である標準的な工期を示す標準工期マスタ情報を記憶する。標準工期マスタＤＢ２２４は、各工程の標準的な工期が規定された、図８に示す標準工期テーブル２２４Ａを有する。標準工期テーブル２２４Ａは、「標準工期コード」、「工程」、「標準工期」の各項目のデータが対応付けられている。標準工期テーブル２２４Ａにおいて、例えば、工程Ａの標準工期として「２日」が規定され、これらのデータには抽出コードとして工程経路コード「Ｃ００１」が付与されている。
【００５２】
作業手順マスタＤＢ２２５は、各工程における作業手順を示す作業手順マスタ情報を記憶する。作業手順マスタＤＢ２２５は、各工程における作業の流れが規定された、図９に示す作業手順テーブル２２５Ａを有する。作業手順テーブル２２５Ａは、「作業手順コード」、「工程」、「作業手順」の各項目のデータが対応付けられている。作業手順テーブル２２５Ａにおいて、例えば、工程Ａの作業手順として「作業Ａ→作業Ｃ→作業Ｄ→作業Ｃ」が規定され、これらの情報には抽出コードとして作業手順コード「Ｓ００１」が付与されている。
【００５３】
標準作業時間マスタＤＢ２２６は、各作業に要する標準作業時間を示す標準作業時間マスタ情報を記憶する。標準作業時間マスタＤＢ２２６は、各作業の標準的な作業時間が規定された、図１０に示す標準作業時間テーブル２２６Ａを有する。標準作業時間テーブル２２６Ａは、「標準作業時間コード」、「作業」、「標準作業時間」の各項目のデータが対応付けられている。標準作業時間テーブル２２６Ａにおいて、例えば、作業Ａの標準作業時間として「６時間」が規定され、これらのデータには抽出コードとして標準作業時間コード「Ｔ００１」が付与されている。
【００５４】
内外製区分マスタＤＢ２２７は、各作業を担当または委託し得る依頼先を内製および外注に区分して規定した内外製区分情報を記憶する。内外製区分マスタＤＢ２２７は、図１１に示す内外製区分テーブル２２７Ａを有する。内外製区分テーブル２２７Ａは、「作業」、「内外製区分」の各項目のデータが対応付けられ、例えば、作業Ａの依頼先として内製「生産部署Ａ」、「生産部署Ｃ」、「生産部署Ｄ」、外注「委託業者Ａ」、「委託業者Ｂ」が規定されている。
【００５５】
作業費レートマスタＤＢ２２８は、各作業を担当または委託し得る依頼先の作業費レートを規定した作業費レート情報を記憶する。作業費レートマスタＤＢ２２８は、図１２に示す作業費レートテーブル２２８Ａを有する。作業費レートテーブル２２８Ａは、「作業」、「依頼先」、「作業費レート」の各項目のデータが対応付けられている。ここで、作業費レートとは、単位時間当たりの作業費である。
【００５６】
購買コストマスタＤＢ２２９は、各工程において必要となる物品の購買コストを規定した購買コスト情報を記憶する。購買コストマスタＤＢ２２９は、図１３に示す購買コストテーブル２２９Ａを有する。購買コストテーブル２２９Ａは、「工程」、「物品」、「購買コスト」の各項目のデータが対応付けられている。
【００５７】
図４に戻り、通信部２４０は、通信ネットワークＮＷに接続して外部機器とデータ通信するためのＮＩＣ、アンテナ等を備える。通信部２４０は、例えば、通信ネットワークＮＷを介して設計仕様生成装置１００から生産仕様情報、生産仕様変更情報を受信する。このように、通信部２４０は、生産仕様情報および生産仕様変更情報を外部から取得する取得手段として機能する。
【００５８】
入力部２５０は、キーボード、マウス、タッチパネル、操作ボタン等を備え、利用者の操作、データ入力を受け付ける。入力部２５０は、例えば、各作業の依頼先の選択操作を受け付ける。
【００５９】
出力部２６０は、ＬＣＤ、ＰＤＰ、有機ＥＬディスプレイ等の表示装置、プリンタ、スピーカ等を備え、例えば、生産日程計画情報、作業コスト情報、生産コスト計画情報等の生産計画情報の内容を出力する。
【００６０】
次に、図１４〜図１８を参照しながら、生産計画生成装置２００が生産計画情報を生成および出力するための一連の処理を説明する。
【００６１】
最初に、図１４に示すフローチャートを参照して、制御部２１０のマスタ情報抽出部２１１が実行するマスタ情報抽出処理について説明する。マスタ情報抽出処理は、設計仕様情報に対応する各マスタ情報を各データベースから抽出する処理である。マスタ情報抽出部２１１は、利用者による生産計画情報の生成を指示する生成指示操作を入力部２５０が受け付けたことに応答して、マスタ情報抽出処理を開始する。
【００６２】
マスタ情報抽出部２１１は、マスタ情報抽出処理を開始すると、まず、生産計画情報の元データとなる設計仕様情報を取得する（ステップＳ１０１）。マスタ情報抽出部２１１は、設計仕様情報ＤＢ２３０から生成指示操作に応じた設計仕様テーブルを読み出すことにより、設計仕様情報を取得する。
【００６３】
続いて、マスタ情報抽出部２１１は、特定条件マスタ情報を取得する（ステップＳ１０２）。マスタ情報抽出部２１１は、特定条件情報ＤＢ２２１から特定条件テーブル２２１Ａ〜２２１Ｅを読み出すことにより、特定条件情報を取得する。
【００６４】
次に、マスタ情報抽出部２１１は、ステップＳ１０１において取得した設計仕様情報と、ステップＳ１０２において取得した特定条件マスタ情報とに基づいて、設計仕様情報に対応する各マスタ情報を特定する（ステップＳ１０３）。マスタ情報抽出部２１１は、生産関連項目ごとに設けられた特定条件テーブル２２１Ａ〜２２１Ｅを参照して、設計仕様テーブルに含まれる設計仕様項目の各データが適合する特定条件をそれぞれ検索し、その特定条件に対応付けられた抽出コードを取得することにより、設計仕様情報に対応する各マスタ情報を特定する。
【００６５】
続いて、マスタ情報抽出部２１１は、設計仕様情報に対応する各マスタ情報を抽出する（ステップＳ１０４）。マスタ情報抽出部２１１は、各マスタＤＢ２２２〜２２６を参照し、ステップＳ１０３において取得した抽出コードに対応付けられたマスタ情報を抽出する。ステップＳ１０４の処理を実行した後、マスタ情報抽出部２１１は、マスタ情報抽出処理を終了する。
【００６６】
次に、図１５に示すフローチャートを参照して、制御部２１０の生産日程計画情報生成部２１２が実行する生産日程計画情報生成処理について説明する。生産日程計画情報生成処理は、設計仕様情報に対応する生産日程計画情報を生成する処理である。生産日程計画情報生成部２１２は、マスタ情報抽出部２１１がマスタ情報抽出処理を終了したことに応答して、生産日程計画情報生成処理を開始する。
【００６７】
生産日程計画情報生成部２１２は、生産日程計画情報生成処理を開始すると、まず、各工程の実工期を算出する（ステップＳ２０１）。生産日程計画情報生成部２１２は、マスタ情報抽出部２１１により抽出された工程経路マスタ情報、標準工期マスタ情報、生産リソースマスタ情報に基づいて、工程経路に含まれる各工程の実工期を算出する。各工程の実工期は、「標準工期×処理能力係数」により算出される。
【００６８】
次に、生産日程計画情報生成部２１２は、各工程の生産リソースの割り当てを決定する（ステップＳ２０２）。生産日程計画情報生成部２１２は、マスタ情報抽出部２１１によって同一の工程に関する複数の生産リソースマスタ情報が抽出された場合、複数の生産リソースマスタ情報から任意の生産リソース情報を選択し、その工程において使用する生産リソースとして決定する。
【００６９】
続いて、生産日程計画情報生成部２１２は、生産日程計画情報を生成する（ステップＳ２０３）。生産日程計画情報生成部２１２は、ステップＳ２０２において決定した各工程の生産リソースと、ステップＳ２０１において算出した実工期に基づいて、各工程の開始日および終了日を決定する。この際、生産日程計画情報生成部２１２は、バックワードスケジューリング、フォワードスケジューリング等の一般的なスケジューリング方式を適用してもよい。また、生産日程計画情報生成部２１２は、例えば、前段取りおよび後段取りの各日数を考慮してもよい。
【００７０】
次に、生産日程計画情報生成部２１２は、ステップＳ２０３において生成した生産日程計画情報が適正であるか否かを判定する（ステップＳ２０４）。生産日程計画情報生成部２１２は、例えば、リソース負荷の平準化、生産リードタイムの短縮化、納期遅れの最小化等を目的とするスケジュール評価関数を設定して生産日程計画情報が示す生産日程計画の評価値を算出し、この評価値と予め定められた基準値とを比較することにより、生産日程計画情報が適正であるか否かを判定する。
【００７１】
生産日程計画情報が適正であると判定した場合（ステップＳ２０４；ＹＥＳ）、生産日程計画情報生成部２１２は、この生産日程計画情報を生産日程計画情報ＤＢ２３１に格納するとともに、出力部２６０を制御して生産日程計画情報の内容を出力する（ステップＳ２０５）。その後、生産日程計画情報生成部２１２は、生産日程計画情報生成処理を終了する。
【００７２】
一方、生産日程計画情報が適正ではないと判定した場合（ステップＳ２０４；ＮＯ）、生産日程計画情報生成部２１２は、実行可能解が存在するか否かを判定する（ステップＳ２０６）。生産日程計画情報生成部２１２は、例えば、各工程に別の生産リソースを割り当てることが可能であるか否かに応じて、実行可能解が存在するか否かを判定する。実行可能解が存在すると判定した場合（ステップＳ２０６；ＹＥＳ）、生産日程計画情報生成部２１２は、処理をステップＳ２０２に戻して新たな生産日程計画情報を生成する。
【００７３】
一方、実行可能解が存在しないと判定した場合（ステップＳ２０６；ＮＯ）、生産日程計画情報生成部２１２は、適正な生産日程計画情報が生成できない旨を報知する（ステップＳ２０７）。
【００７４】
ステップＳ２０７の処理を実行した後、生産日程計画情報生成部２１２は、生産日程計画情報の適正評価の緩和を許容されたか否かを判定する（ステップＳ２０８）。生産日程計画情報生成部２１２は、生産日程計画情報の適正評価の緩和を許容する旨の利用者による入力操作を入力部２５０が受け付けたか否かに応じて判定する。生産日程計画情報の適正評価の緩和を許容されたと判定した場合（ステップＳ２０８；ＹＥＳ）、生産日程計画情報生成部２１２は、これまで生成した生産日程計画情報のうち最も評価値が高い生産日程計画情報を生産日程計画情報ＤＢ２３１に格納するとともに、出力部２６０を制御してその生産日程計画情報の内容を出力する（ステップＳ２０５）。
【００７５】
一方、生産日程計画情報の適正評価の緩和を許容されていないと判定した場合（ステップＳ２０８；ＮＯ）、生産日程計画情報生成部２１２は、生成した生産日程計画情報を無効とし、生産日程計画情報生成処理を終了する。
【００７６】
次に、図１６に示すフローチャートを参照して、制御部２１０の作業コスト情報生成部２１３が実行する作業コスト情報生成処理について説明する。作業コスト情報生成処理は、設計仕様情報に対応する作業コスト情報を生成する処理である。作業コスト情報生成部２１３は、生産日程計画情報生成部２１２が生産日程計画情報生成処理を終了したことに応答して、作業コスト情報生成処理を開始する。
【００７７】
作業コスト情報生成部２１３は、作業コスト情報生成処理を開始すると、各作業の作業時間を算出する（ステップＳ３０１）。作業コスト情報生成部２１３は、マスタ情報抽出部２１１により抽出された工程経路マスタ情報、作業手順マスタ情報、標準作業時間マスタ情報に基づいて、工程経路に含まれる全工程を通じて各作業の作業時間を算出する。
【００７８】
次に、作業コスト情報生成部２１３は、各作業の依頼先が選択されたか否かを判定する（ステップＳ３０２）。作業コスト情報生成部２１３は、例えば、出力部２６０を制御してステップＳ３０１において算出した各作業の作業時間および内外製区分情報を表示し、利用者による各作業の依頼先を選択する選択操作を入力部２５０が受け付けたか否かに応じて判定する。各作業の依頼先が選択されていないと判定した場合（ステップＳ３０２；ＮＯ）、作業コスト情報生成部２１３は、ステップＳ３０２の処理の実行を繰り返し、全作業の依頼先が選択されるまで待機する。
【００７９】
一方、各作業の依頼先が選択されたと判定した場合（ステップＳ３０２；ＹＥＳ）、作業コスト情報生成部２１３は、作業コスト情報を生成する（ステップＳ３０３）。作業コスト情報生成部２１３は、作業費レートテーブルを参照し、各作業の依頼先の作業費レートと作業時間とを乗算して各作業の作業コストを算出することにより、作業コスト情報を生成する。
【００８０】
ステップＳ３０３において作業コスト情報を生成した後、作業コスト情報生成部２１３は、作業コスト情報を作業コスト情報ＤＢ２３２に格納するとともに、出力部２６０を制御して作業コスト情報の内容を出力し（ステップＳ３０４）、作業コスト情報生成処理を終了する。
【００８１】
次に、図１７に示すフローチャートを参照して、制御部２１０の生産コスト計画情報生成部２１４が実行する生産コスト計画情報生成処理について説明する。生産コスト計画情報生成処理は、設計仕様情報に対応する生産コスト計画情報を生成する処理である。生産コスト計画情報生成部２１４は、作業コスト情報生成部２１３が作業コスト情報生成処理を終了したことに応答して、生産コスト計画情報生成処理を開始する。
【００８２】
生産コスト計画情報生成部２１４は、生産コスト計画情報生成処理を開始すると、各作業の作業コストの発生時期を特定する（ステップＳ４０１）。作業コスト情報生成部２１３は、生産日程計画情報生成部２１２により生成された生産日程計画情報が示す各工程の実施時期と、作業コスト情報生成部２１３により生成された作業コスト情報が示す各作業の作業コストとに基づいて、各作業の作業コストの発生時期を特定する。なお、作業コストの発生時期は、作業コストが発生する日付が厳密に特定される必要はなく、例えば週単位または月単位で特定されればよい。
【００８３】
続いて、生産コスト計画情報生成部２１４は、購買コストの発生時期を特定する（ステップＳ４０２）。生産コスト計画情報生成部２１４は、生産日程計画情報が示す各工程の実施時期と、購買コストマスタＤＢ２２９に記憶された購買コスト情報が示す各工程において必要となる部品や材料の購買コストに基づいて、購買コストの発生時期を特定する。なお、購買コストの発生時期は、作業コストの発生時期と同様に、購買コストが発生する日付が厳密に特定される必要はなく、例えば週単位または月単位で特定されればよい。また、購買コストの発生時期を特定する際、一般的な製造部品表（Ｍ−ＢＯＭ：Manufacturing Bill Of Material）を用いた資材所要量計画（ＭＲＰ：Material Requirement Planning）を適用してもよい。
【００８４】
次に、生産コスト計画情報生成部２１４は、生産コスト計画情報を生成する（ステップＳ４０３）。生産コスト計画情報生成部２１４は、作業コストおよび購買コストの発生時期を照合し、例えば、作業単位および物品単位で各コストとその発生時期をまとめて生産コスト計画情報を生成する。
【００８５】
ステップＳ４０３において生産コスト計画情報を生成した後、生産コスト計画情報生成部２１４は、生産コスト計画情報を生産コスト計画情報ＤＢ２３３に格納するとともに、出力部２６０を制御して生産コスト計画情報の内容を出力する（ステップＳ４０４）。ステップＳ４０４の処理を実行した後、生産コスト計画情報生成部２１４は、生産コスト計画情報生成処理を終了する。
【００８６】
次に、図１８に示すフローチャートを参照して、制御部２１０の設計仕様変更評価部２１５が実行する設計仕様変更評価処理について説明する。設計仕様変更評価処理は、設計仕様の変更に応じて生産計画情報の再生成が必要であるか否を評価する処理である。設計仕様変更評価部２１５は、利用者による、設計仕様変更に伴う生産計画情報の再生成の必要性の評価を指示する評価指示操作を入力部２５０が受け付けたことに応答して、設計仕様変更評価処理を開始する。
【００８７】
設計仕様変更評価部２１５は、設計仕様変更評価処理を開始すると、まず、設計仕様変更情報を取得する（ステップＳ５０１）。設計仕様変更評価部２１５は、設計仕様情報ＤＢ２３０を参照し、評価指示操作に応じた設計仕様テーブルを読み出すことにより、設計仕様変更情報を取得する。
【００８８】
次に、設計仕様変更評価部２１５は、設計仕様変更情報に対応する各抽出コードを特定する（ステップＳ５０２）。設計仕様変更評価部２１５は、特定条件情報ＤＢ２２１から特定条件テーブル２２１Ａ〜２２１Ｅを読み出し、ステップＳ５０１において読み出した設計仕様テーブルに含まれる設計仕様項目の各データが適合する特定条件をそれぞれ検索し、その特定条件に対応付けられた抽出コードを特定する（ステップＳ５０２）。
【００８９】
設計仕様変更評価部２１５は、設計仕様変更前後の各抽出コードが一致するか否かを判定する（ステップＳ５０３）。設計仕様変更評価部２１５は、設計仕様変更前の各抽出コードとステップＳ５０２において抽出した各抽出コードとを比較し、それぞれが一致するか否かを判定する。
【００９０】
設計仕様変更前後の各抽出コードが一致すると判定した場合（ステップＳ５０３；ＹＥＳ）、設計仕様変更評価部２１５は、設計仕様変更に伴う生産計画情報の変更がない旨を報知する（ステップＳ５０４）。設計仕様変更評価部２１５は、出力部２６０を制御して、設計仕様変更に伴う生産計画情報の変更がない旨のメッセージ表示あるいは音声出力を行う。
【００９１】
一方、設計仕様変更前後の各抽出コードが一致しないと判定した場合（ステップＳ５０３；ＮＯ）、設計仕様変更評価部２１５は、設計仕様変更に伴う生産計画情報の変更がある旨を報知する（ステップＳ５０５）。設計仕様変更評価部２１５は、出力部２６０を制御して、設計仕様変更に伴う生産計画情報の変更がある旨のメッセージ表示あるいは音声出力を行う。
【００９２】
続いて、設計仕様変更評価部２１５は、設計仕様変更情報に対応する生産計画情報の生成を指示する（ステップＳ５０６）。設計仕様変更評価部２１５は、マスタ情報抽出部２１１に設計仕様変更情報を元にマスタ情報抽出処理を実行するよう指示する。これにより、設計仕様変更情報に対応する生産計画情報を生成するための一連の処理が随時実行される。
【００９３】
ステップＳ５０４またはステップＳ５０６の処理を実行した後、設計仕様変更評価部２１５は、設計仕様変更評価処理を終了する。
【００９４】
以上に述べたように、本実施の形態によれば、生産計画生成装置２００は、個別生産される製品の生産に必要な各種マスタ情報を保持し、設計仕様生成装置１００から取得した設計仕様情報に含まれる設計仕様項目の各データを評価する複数の条件式を論理積または論理和のうち少なくとも一方で結合して定義された組合せ条件に適合するマスタ情報を抽出し、そのマスタ情報を利用して生産計画情報を生成して利用者に提示する。このように、生産計画生成装置２００は、製品を個別生産するために必要なマスタ情報を生産計画の生成に迅速かつ効率的に利用することができる。
【００９５】
また、生産計画生成装置２００は、設計仕様生成装置１００から設計仕様変更情報を取得した場合、先に取得した設計仕様情報に対応するマスタ情報と設計仕様変更情報に対応するマスタ情報とを比較し、生成計画情報の再生成の要否を判定する。生成計画情報の再生成が必要であると判定した場合、設計仕様変更情報に対応するマスタ情報に基づいて、生成計画情報を再生成して利用者に提示する。このように、生産計画生成装置２００は、設計仕様の変更に応じて生成計画の見直しを行うことにより、利用者に適切な生成計画情報を提示することができる。
【００９６】
また、生産計画生成装置２００は、生産計画情報の再生成の要否に関する判定結果を報知する。これにより、利用者は、生産計画の変更の必要性を早期に把握することができる。
【００９７】
なお、本発明は、上記の実施の形態に限定されず、本発明の要旨を逸脱しない範囲での種々の変形および応用が可能である。
【００９８】
例えば、上記の実施の形態において、作業コスト情報生成部２１３が実行する作業コスト情報生成処理のステップＳ３０２では、利用者による各作業の依頼先の選択に応じて作業コスト情報を生成した。しかし、作業コスト情報生成部２１３が、作業費レートテーブル２２８Ａを参照し、例えば、利用者の許可が得られるまで適宜作業費レートが低い順に依頼先を選択して作業コスト情報を生成するべく設計してもよい。これにより、利用者の各作業の依頼先を選択する煩雑な作業を省くことができ、生産計画策定の利便性を向上させることができる。
【００９９】
上記の実施の形態において、制御部２１０のＣＰＵが実行する動作プログラムは、あらかじめＲＯＭに記憶されていた。しかしながら、本発明は、これに限定されず、上記の各種処理を実行させるための動作プログラムを、既存の汎用コンビュータや、フレームワーク、ワークステーション等に実装することにより、上記の実施の形態に係る生産計画生成装置２００に相当する装置として機能させてもよい。
【０１００】
このようなプログラムの提供方法は任意であり、例えば、コンピュータが読取可能な記録媒体（フレキシブルディスク、ＣＤ（Compact Disc）−ＲＯＭ、ＤＶＤ（Digital Versatile Disc）−ＲＯＭ）等に格納して配布してもよいし、インターネットをはじめとするネットワーク上のストレージにプログラムを格納しておき、これをダウンロードさせることにより提供してもよい。
【０１０１】
また、上記の処理をＯＳ（Operating System）とアプリケーションプログラムとの分担、または、ＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（Bulletin Board System：BBS）に上記プログラムを掲示し、ネットワークを介してプログラムを配信してもよい。そして、このプログラムを起動し、ＯＳの制御下で、他のアプリケーションプログラムと同様に実行することにより、上記の処理を実行するべく設計してもよい。
【符号の説明】
【０１０２】
１…生産計画支援システム、１００…設計仕様生成装置、１１０…制御部、１１１…設計仕様情報生成部、１１１Ａ…設計仕様テーブル、１１２…設計仕様情報送信制御部、１２０…記憶部、１４０…通信部、１５０…入力部、１６０…出力部、２００…生産計画生成装置、２１０…制御部、２１１…マスタ情報抽出部、２１２…生産日程計画情報生成部、２１３…作業コスト情報生成部、２１４…生産コスト計画情報生成部、２１５…設計仕様変更評価部、２２０…記憶部、２２１…特定条件情報ＤＢ、２２１Ａ〜２２１Ｅ…特定条件テーブル、２２２…工程経路マスタＤＢ、２２２Ａ…工程経路テーブル、２２３…生産リソースマスタＤＢ、２２３Ａ…生産リソーステーブル、２２４…標準工期マスタＤＢ、２２４Ａ…標準工期テーブル、２２５…作業手順マスタＤＢ、２２５Ａ…作業手順テーブル、２２６…標準作業時間マスタＤＢ、２２６Ａ…標準作業時間テーブル、２２７…内外製区分マスタＤＢ、２２７Ａ…内外製区分テーブル、２２８…作業費レートマスタＤＢ、２２８Ａ…作業費レートテーブル、２２９…購買コストマスタＤＢ、２２９Ａ…購買コストテーブル、２３０…設計仕様情報ＤＢ、２３１…生産日程計画情報ＤＢ、２３２…作業コスト情報ＤＢ、２３３…生産コスト計画情報ＤＢ、２４０…通信部、２５０…入力部、２６０…出力部、ＢＬ…バスライン、ＮＷ…通信ネットワーク
【図１】
2018197895.tif 000003
【図２】
2018197895.tif 000004
【図３】
2018197895.tif 000005
【図４】
2018197895.tif 000006
【図５Ａ】
2018197895.tif 000007
【図５Ｂ】
2018197895.tif 000008
【図５Ｃ】
2018197895.tif 000009
【図５Ｄ】
2018197895.tif 000010
【図５Ｅ】
2018197895.tif 000011
【図６】
2018197895.tif 000012
【図７】
2018197895.tif 000013
【図８】
2018197895.tif 000014
【図９】
2018197895.tif 000015
【図１０】
2018197895.tif 000016
【図１１】
2018197895.tif 000017
【図１２】
2018197895.tif 000018
【図１３】
2018197895.tif 000019
【図１４】
2018197895.tif 000020
【図１５】
2018197895.tif 000021
【図１６】
2018197895.tif 000022
【図１７】
2018197895.tif 000023
【図１８】
2018197895.tif 000024